(57)【特許請求の範囲】
【請求項１】
蛍光灯に嵌着した集光器からの光を検出して、前記蛍光灯の減光あるいは点滅などの異常を検出する蛍光灯異常検出装置において、
前記蛍光灯の横断面形に対応した形状に屈曲されるとともに、一部が開口してＣ字形状を呈するように帯状に弾性を有する材料で形成された嵌着部と、
前記嵌着部の一部から連なって外側へ突出するように一体的に形成された導光部と、
前記導光部の外側から前記嵌着部へ向けて次第に絞り込まれる１段目のテーパー部と２段目のテーパー部とが順に形成されて、光ファイバーが前記導光部の外側から前記嵌着部へ向かって貫通するように前記導光部に穿設された光ファイバー取付穴とを具備し、
前記導光部の外側から前記光ファイバーを挿入する挿入口となる前記１段目のテーパー部は、寸法ｄ１の開口と、長さｌ１のストロークと、寸法ｄ２の出口とを備え、
前記導光部へ前記光ファイバーを固定するための取付け部となる前記２段目のテーパー部は、前記１段目のテーパー部の前記出口に連なる寸法ｄ２の開口と、長さｌ２のストロークと、寸法ｄ３の出口とを備え、
寸法ｄ１〜寸法ｄ３は、ｄ１＞ｄ２＞ｄ３、
寸法ｄ３は、前記光ファイバー取付穴に挿入される前記光ファイバーの直径よりも小であり、
ストロークｌ１，ｌ２の長さは、ｌ１＜ｌ２、
であることを特徴とする蛍光灯異常検出装置の集光器。
【請求項２】
蛍光灯に嵌着した集光器からの光を検出して、前記蛍光灯の減光あるいは点滅などの異常を検出する蛍光灯異常検出装置において、
前記蛍光灯の横断面形に対応した形状に屈曲されるとともに、一部が開口してＣ字形状を呈するように帯状に弾性を有する材料で形成された嵌着部と、
前記嵌着部の一部から連なって外側へ突出するように一体的に形成された導光部と、
前記導光部の外側から前記嵌着部へ向けて次第に絞り込まれる１段目のテーパー部と２段目のテーパー部とが順に形成されて、光ファイバーが前記導光部の外側から前記嵌着部へ向かって貫通するように前記導光部に穿設され、かつ前記嵌着部側の先端部にレンズ部材を有する光ファイバー取付穴とを具備し、
前記導光部の外側から前記光ファイバーを挿入する挿入口となる前記１段目のテーパー部は、寸法ｄ１の開口と、長さｌ１のストロークと、寸法ｄ２の出口とを備え、
前記導光部へ前記光ファイバーを固定するための取付け部となる前記２段目のテーパー部は、前記１段目のテーパー部の前記出口に連なる寸法ｄ２の開口と、長さｌ２のストロークと、寸法ｄ３の出口とを備え、
寸法ｄ１〜寸法ｄ３は、ｄ１＞ｄ２＞ｄ３、
寸法ｄ３は、前記光ファイバー取付穴に挿入される前記光ファイバーの直径よりも小であり、
ストロークｌ１，ｌ２の長さは、ｌ１＜ｌ２、
であることを特徴とする蛍光灯異常検出装置の集光器。
【請求項３】
前記嵌着部および前記導光部は、透明な材料で形成されていることを特徴とする請求項１または請求項２に記載の蛍光灯異常検出装置の集光器。
【請求項４】
前記導光部の周りに突起部が一体的に形成されていることを特徴とする請求項１ないし請求項３のうちのいずれか１項に記載の蛍光灯異常検出装置の集光器。
【発明の詳細な説明】
【０００１】
【発明の属する技術分野】
本発明は、各種照明用蛍光灯をはじめとして、建物内の非常口を示す案内灯として使用されている蛍光灯の異常を検出するための、蛍光灯異常検出装置に用いられる集光器に関する。
【０００２】
【従来の技術】
各種照明用としては勿論のこと、建物内の非常口を示す案内灯として蛍光灯が多く使用されている。例えば広い室内に多数の蛍光灯が照明用として設置されている場合は、その中の１本の蛍光灯が劣化して、照度不足となったとしてもそれほど緊急的な不都合は生じない。しかし、劣化がさらに進んで蛍光灯が点滅を繰り返すようになったり、不点灯になると、見苦しくもあり、室内にいる人の気持ちをいらつかせることにもなるので、そのような状況が生じた際には、可及的すみやかに蛍光灯の交換を行うのが常である。
【０００３】
しかし、狭い部屋例えば、化粧室、風呂場、エレベータの乗りかごなどのように、照明灯として１本ないし数本の蛍光灯しか備えられていない空間で、１本の蛍光灯が劣化して、照度不足や点滅を繰り返すようになると、利用者に大きな不安感を与えることになる。また、非常口を知らせる案内灯として使用されている蛍光灯が劣化したままに放置されていると、非常時に大きな混乱を招くおそれがある。そのため、特にホテルやデパート、劇場など一般の利用者が多く集まるところでは、常時これらの蛍光灯の良否を点検する必要があった。
【０００４】
ところが、従来の点検は、作業者の目視によるものであり、蛍光灯が点滅状態に至る寸前の劣化状態を客観的に判定することは容易でなく、特に、案内灯のようにカバーで覆われた照明器具に備えられている蛍光灯の劣化状態の判定は極めて困難であった。
【０００５】
そこで従来、エレベータかご室内に設けられた、照明器具としての蛍光灯について、寿命や異常を光度により検出する方法が提案されている。そして、このような方法として、特開平１０−１３９３１７号公報には、光センサーを蛍光灯付近に設置する方法が開示されており、特開平９−２４９３６４号公報には、光ファイバーにより光を検出器へ伝送する方法が開示されている。
【０００６】
図５は、特開平１０−１３９３１７号公報に記載された「エレベーター用照明灯の検定具」を示したものである。
【０００７】
これは、不透光性の弾性帯状材を、蛍光灯１の横断面形に対応した形状に屈曲し、一部を開口してＣ字形状に形成したＣ字状湾曲部２ａと、Ｃ字状湾曲部２ａから外側に引退した凹所２ｂが形成され、弾性変形して蛍光灯１の外周に嵌合する嵌着体２から成っている。また、凹所２ｂにＣ字状湾曲部２ａの一部を形成して、蛍光灯１の外周に接する遮光体３を充填状態に設け、この遮光体３に蛍光灯１の外周面に対向する導光孔４が配置されている。さらに、蛍光灯１の外周面に対向して、検出光の軸線が導光孔４に沿うように構成し、蛍光灯１からの光を検出する光センサー５を遮光体３に埋設状態に設けたものである。
【０００８】
また図６は、特開平９−２４９３６４号公報に記載された「エレベータかごの蛍光灯寿命知らせ装置」を示したものである。
【０００９】
これは、集光器６によって集光された蛍光灯１の光を、光ファイバー７を介して出光器８に送光し、送光された光は出光器８から照度検出器９に放射され、照度検出器９でその光の照度を検出する。照度検出器９の出力を比較器１０で予め入力されている寿命管理照度基準値と比較し、蛍光灯１の照度が寿命管理照度基準値を下回った場合、比較器１０からの出力により表示用発光ダイオード１１を点灯させるものである。これにより、蛍光灯１が点滅状態に至る前の劣化状態を客観的に判定するものである。
【００１０】
【発明が解決しようとする課題】
しかしながら、図５に示したものは、嵌着体２が不透光性の材料で形成されているため、照明に影が生じ、意匠上好ましくないという難点があった。また、図６に示したものは、集光器６に劣化状態を検出すべき蛍光灯以外の外光が入光するおそれがあるとともに、埃等の付着も懸念され、そのため判定結果の信頼性に欠けるという問題があった。
【００１１】
本発明は、このような従来の問題を解決するためになされたものである。
【００１２】
【課題を解決するための手段】
上記の課題を解決するため、請求項１に記載の発明は、蛍光灯に嵌着した集光器からの光を検出して、前記蛍光灯の減光あるいは点滅などの異常を検出する蛍光灯異常検出装置において、
前記蛍光灯の横断面形に対応した形状に屈曲されるとともに、一部が開口してＣ字形状を呈するように帯状に弾性を有する材料で形成された嵌着部と、
前記嵌着部の一部から連なって外側へ突出するように一体的に形成された導光部と、
前記導光部の外側から前記嵌着部へ向けて次第に絞り込まれる１段目のテーパー部と２段目のテーパー部とが順に形成されて、光ファイバーが前記導光部の外側から前記嵌着部へ向かって貫通するように前記導光部に穿設された光ファイバー取付穴とを具備し、
前記導光部の外側から前記光ファイバーを挿入する挿入口となる前記１段目のテーパー部は、寸法ｄ１の開口と、長さｌ１のストロークと、寸法ｄ２の出口とを備え、
前記導光部へ前記光ファイバーを固定するための取付け部となる前記２段目のテーパー部は、前記１段目のテーパー部の前記出口に連なる寸法ｄ２の開口と、長さｌ２のストロークと、寸法ｄ３の出口とを備え、
寸法ｄ１〜寸法ｄ３は、ｄ１＞ｄ２＞ｄ３、
寸法ｄ３は、前記光ファイバー取付穴に挿入される前記光ファイバーの直径よりも小であり、
ストロークｌ１，ｌ２の長さは、ｌ１＜ｌ２、
であることを特徴とするものである。
【００１３】
これにより、嵌着部および導光部に穿設されている光ファイバー取付穴は、蛍光灯の表面から導光部の中心を通って鉛直方向に開けられているので、蛍光灯からの光だけを確実に光ファイバーへ導くことができる。そして、光ファイバー取付穴に挿入された光ファイバーの先端面と蛍光灯の表面との間は、閉鎖された空間になるため、この空間に埃などの遮光物が侵入するおそれがなく、障害の原因を排除することができる。また、光ファイバー取付穴は蛍光灯に向かって、テーパー形状に絞り込まれているので、光ファイバーの挿入と固定が容易であり、かつ、光ファイバーは光ファイバー取付穴の端で折れ曲がり難く、折損事故を防止することができる。
【００１４】
また、請求項２に記載の発明は、蛍光灯に嵌着した集光器からの光を検出して、前記蛍光灯の減光あるいは点滅などの異常を検出する蛍光灯異常検出装置において、
前記蛍光灯の横断面形に対応した形状に屈曲されるとともに、一部が開口してＣ字形状を呈するように帯状に弾性を有する材料で形成された嵌着部と、
前記嵌着部の一部から連なって外側へ突出するように一体的に形成された導光部と、
前記導光部の外側から前記嵌着部へ向けて次第に絞り込まれる１段目のテーパー部と２段目のテーパー部とが順に形成されて、光ファイバーが前記導光部の外側から前記嵌着部へ向かって貫通するように前記導光部に穿設され、かつ前記嵌着部側の先端部にレンズ部材を有する光ファイバー取付穴とを具備し、
前記導光部の外側から前記光ファイバーを挿入する挿入口となる前記１段目のテーパー部は、寸法ｄ１の開口と、長さｌ１のストロークと、寸法ｄ２の出口とを備え、
前記導光部へ前記光ファイバーを固定するための取付け部となる前記２段目のテーパー部は、前記１段目のテーパー部の前記出口に連なる寸法ｄ２の開口と、長さｌ２のストロークと、寸法ｄ３の出口とを備え、
寸法ｄ１〜寸法ｄ３は、ｄ１＞ｄ２＞ｄ３、
寸法ｄ３は、前記光ファイバー取付穴に挿入される前記光ファイバーの直径よりも小であり、
ストロークｌ１，ｌ２の長さは、ｌ１＜ｌ２、
であることを特徴とするものである。
【００１５】
これにより、請求項１に記載の発明の作用に加えて、光ファイバーに導入される光量を適宜調節することができるので、定格の異なる蛍光灯に適用することが可能となる。
【００１６】
また、請求項３に記載の発明は、請求項１または請求項２に記載の蛍光灯異常検出装置の集光器において、前記嵌着部および前記導光部は、透明な材料で形成されていることを特徴とするものである。
【００１７】
これにより、集光器全体が透明であるため、蛍光灯に取り付けても遮光を少なくすることができ、かご室内等より蛍光灯を見た際、集光器の影が見えず、意匠的にも美観を損ねることがなくなる。
【００１８】
そして、請求項４に記載の発明は、請求項１ないし請求項３のうちのいずれか１項に記載の蛍光灯異常検出装置の集光器において、前記導光部の周りに突起部が一体的に形成されていることを特徴とするものである。
【００１９】
これにより、作業性の悪い蛍光灯付近においても、集光器の蛍光灯への脱着が容易となり、蛍光灯の交換時の作業効率が向上する。また、集光器に光ファイバーを固定する作業も容易となる。
【００２０】
【発明の実施の形態】
以下、本発明に係る蛍光灯異常検出装置の集光器の一実施の形態について、図１ないし図４を参照して詳細に説明する。
【００２１】
図１ないし図３は、本発明の第１の実施の形態を示したものであり、図１は、蛍光灯異常検出装置の集光器の外観図、図２は、集光器に光ファイバーを取付けるための光ファイバー取付穴部分の拡大断面図、図３は、図１に示した集光器に光ファイバーを取付けた状態で、これを蛍光灯に装着した様子を示した断面図である。
【００２２】
これらの図に示されているように、蛍光灯異常検出装置の集光器（以下、集光器という）２１は、外観的には、蛍光灯１の横断面形に対応した形状に屈曲されるとともに、一部が開口してＣ字形状を呈するように、弾性を有する材料で帯状に形成された嵌着部２２と、この嵌着部２２の一部から連なって外側へ突出するように一体的に形成された円筒状の導光部２３と、この導光部２３の周りに鍔状に形成された突起部２４とを具備している。そして、導光部２３にはその外側から前記嵌着部２２へ貫通するように直線状に光ファイバー取付穴２５が穿設されている。なお、これら嵌着部２２、導光部２３および突起部２４は、透明なポリカーボネート樹脂などからなるプラスチック射出一体成形品として構成されており、嵌着部２２と導光部２３との接続部には補強用の脚２３ａが形成されている。
【００２３】
また、光ファイバー取付穴１５は図２に拡大して示してあるように、導光部２３の外側から前記嵌着部２２へ向けて絞り込まれる２段のテーパー状に形成されている。すなわち、１段目のテーパー部２５ａは、導光部２３へ光ファイバーを挿入するための挿入口となるものであり、そのため、開口寸法ｄ１を大きくしてあるもののストロークｌ１は短く、従って、テーパー角は比較的大きくなっている。
【００２４】
一方、２段目のテーパー部２５ｂは、導光部２３に光ファイバーを固定させるための取付け部となるものであり、そのため、１段目のテーパー部２５ａの出口ｄ２に連なり、嵌着部２２に貫通している部分の開口寸法ｄ３は小さく、さらにそのストロークｌ２は長くなっている。従って、２段目のテーパー部２５ｂのテーパー角は小さく、ゆるやかに細くなるように形成されていて、開口寸法ｄ３は、光ファイバー取付穴２５に挿入される光ファイバーの直径よりも小さくなるように設定されている。
【００２５】
上記のように構成された集光器２１に、光ファイバー２６を取付けた状態で、これを蛍光灯１に装着した様子が図３に示されている。
【００２６】
すなわち、導光部２３の端面開口部から光ファイバー取付穴２５へ光ファイバー２６を挿入し、嵌着部２２側の開口へ向けて圧入する。この光ファイバー取付穴２５は、先端へ向かうほど細くなっているので、光ファイバー２６を圧入することにより、その外周面が光ファイバー取付穴２５の内周面に密着して固定される。このような状態で集光器２１を、その嵌着部２２のＣ字形状に開口した部分を弾性変形させて蛍光灯１の外周に嵌合させる。そして、光ファイバー２６の他端は、図６に示したような出光器８や光検出器などへ導かれて、蛍光灯１の劣化状態が判定される。
【００２７】
よって、集光器２１の嵌着部２２および導光部２３に穿設されている光ファイバー取付穴２５は、蛍光灯１の表面から導光部２３の中心を通って鉛直方向に向いているので、蛍光灯１からの光だけを確実に光ファイバー２６へ導くことができる。そして、光ファイバー取付穴２５に挿入された光ファイバー２６の先端面と蛍光灯１の表面との間は、閉鎖された空間になるため、この空間に埃などの遮光物が侵入するおそれがなく、障害の原因を排除することができる。また、光ファイバー取付穴２５は蛍光灯１に向かって、２段のテーパー形状に絞り込まれているので、光ファイバー２６の挿入と固定が容易であり、かつ、光ファイバー２６は光ファイバー取付穴２５の端で折れ曲がり難く、折損事故を防止することができる。さらに、導光部２３の周りに鍔状に突起部２４が形成されているので、嵌着部２２を蛍光灯１に取付けたり取外したりする際に、作業者は突起部２４をつまんで作業すればよく作業性を向上することができる。さらに、導光部２３に光ファイバー２６を挿入して固定する際にもその作業性を向上することができる。
【００２８】
次に、本発明の第２の実施の形態として、図４に、集光器２１に光ファイバー２６を取付けるための光ファイバー取付穴２５の部分を拡大して示してあるので、これについて説明する。なお、図４において、図１ないし図３と同一部分には同一符号を付して、その説明は省略する。
【００２９】
すなわち、導光部２３から嵌着部２２に連なるように穿設されている光ファイバー取付穴２５は、第１の実施の形態ではこれが貫通していたが、本実施の形態では、嵌着部２２側にレンズ部材２７を形成してある。このレンズ部材２７は、光ファイバー取付穴２５を嵌着部２２側で塞ぐように設けられており、集光器２１を射出成形する際に、嵌着部２２、導光部２３および突起部２４などと一緒に一体的に成形されるものである。
【００３０】
このように構成された集光器２１は、光ファイバー取付穴２５に光ファイバー２６を圧入し、光ファイバー２６の先端面がレンズ部材２７に接触するようにして固定する。そしてこの状態で、第１の実施の形態として説明したものと同様に、嵌着部２２を蛍光灯１に装着して使用されるものである。ただし、この第２の実施の形態としての集光器は、レンズ部材２７を通して光ファイバー２６に蛍光灯１からの光が導入される。よって、レンズ部材２７の拡大・縮小率や焦点などの特性値あるいは部材の厚さなどを適宜選択的に作成することによって、光ファイバー２６へ入射する蛍光灯１からの光量を所望の値に調整することができる。
【００３１】
従って、集光器２１を装着する蛍光灯１が例えば２０ワット、４０ワットなど発光量の定格が違う場合に、蛍光灯１の発光量に応じた仕様のレンズ部材２７を形成しておけば、光ファイバー２６を通して蛍光灯１の劣化状態を判定する出光器や光検出器などの仕様を、蛍光灯１の定格に拘らず同一にすることができる。また、レンズ部材２７は、集光器２１として一体的に成形されるので、製作コストを低減することができる。
【００３２】
【発明の効果】
以上詳細に説明したように、請求項１に記載の発明によれば、嵌着部および導光部に穿設されている光ファイバー取付穴は、蛍光灯の表面から導光部の中心を通って鉛直方向に穿設されているので、蛍光灯からの光だけを確実に光ファイバーへ導くことができる。そして、光ファイバー取付穴に挿入された光ファイバーの先端面と蛍光灯の表面との間は、閉鎖された空間になるため、この空間に埃などの遮光物が侵入するおそれがなく、清掃作業を省力化できるとともに、障害の原因を排除することができる。また、光ファイバー取付穴は蛍光灯に向かって、テーパー形状に絞り込まれているので、光ファイバーの挿入と固定が容易であり、かつ、光ファイバーは光ファイバー取付穴の端で折れ曲がり難く、折損事故を防止することができる。
【００３３】
また、請求項２に記載の発明によれば、請求項１に記載の発明の効果に加えて、光ファイバーに導入される光量を適宜調節することができるので、定格の異なる蛍光灯に適用することが可能となる。
【００３４】
また、請求項３に記載の発明によれば、集光器全体が透明であるため、蛍光灯に取り付けても遮光量は少なく、室内にて蛍光灯を見た際に、集光器の影が見えず、意匠的にも美観を損ねることがなくなる。
【００３５】
さらに、請求項４に記載の発明によれば、作業性の悪い蛍光灯付近においても、工具を使わずに、集光器を蛍光灯へ容易に脱着させることができ、蛍光灯の交換時の作業効率が向上する。また、集光器に光ファイバーを固定する作業も容易となる。
【図面の簡単な説明】
【図１】本発明に係る蛍光灯異常検出装置の集光器の第１の実施の形態を示した外観図である。
【図２】集光器に光ファイバーを取付けるための、光ファイバー取付穴部分を拡大して示した断面図である。
【図３】集光器に光ファイバーを取付けた状態で、これを蛍光灯に装着した様子を示した正面側から見た断面図である。
【図４】本発明の第２の実施の形態を示した、図２と同様の光ファイバー取付穴部分を拡大して示した断面図である。
【図５】従来のエレベーター用照明灯の検定具を示した断面図である。
【図６】従来のエレベータかごの蛍光灯寿命知らせ装置を示した系統図である。
【符号の説明】
１  蛍光灯
２１  集光器
２２  嵌着部
２３  導光部
２４  突起部
２５  光ファイバー取付穴
２６  光ファイバー
２７  レンズ部材
【図１】
0004278255.tif 000002
【図２】
0004278255.tif 000003
【図３】
0004278255.tif 000004
【図４】
0004278255.tif 000005
【図５】
0004278255.tif 000006
【図６】
0004278255.tif 000007